(57)【要約】      （修正有）【課題】送信先のＦＡＸ装置での無地ページの出力機会の低減が期待できるＦＡＸ装置を提供する。【解決手段】ＦＡＸ装置１００は、画像読取部２０にて原稿を読み取って取得した送信対象の画像データのサイズと、送信先のＦＡＸ装置４００の対応サイズとに応じて、特定領域を決定する。特定領域は、送信対象の画像データのうち対応サイズに収まらない領域である。ＦＡＸ装置１００は、決定した特定領域が無地であるか否かを判定する。無地であると判定した場合には、送信対象の画像データのうち特定領域以外の領域の画像データを送信する。【選択図】図１
2015119289.tif 000002
【特許請求の範囲】
【請求項１】
ファクシミリ通信を行う通信部と，
制御部と，
を備え，
前記制御部は，
送信先のファクシミリ装置の対応サイズを取得する取得処理と，
前記送信先のファクシミリ装置の対応サイズに応じて決定される特定領域に対して，無地か否かを判定する無地判定処理と，
前記無地判定処理にて前記特定領域が無地であると判定された場合には，送信対象の画像データのうち前記特定領域以外の領域の画像データを送信する送信処理と，
を実行することを特徴とするファクシミリ装置。
【請求項２】
請求項１に記載するファクシミリ装置において，
前記制御部は，
前記取得処理では，前記通信部を介して，送信先のファクシミリ装置から当該装置の対応サイズを取得することを特徴とするファクシミリ装置。
【請求項３】
請求項１または請求項２に記載するファクシミリ装置において，
前記制御部は，
前記特定領域に，送信対象の画像データのうち，前記送信先のファクシミリ装置の対応サイズに収まらない領域である非対応領域を含み，
前記送信処理では，前記非対応領域があることを条件として，前記非対応領域が無地であると判定された場合には，前記送信対象の画像データのうち前記非対応領域以外の領域の画像データを送信し，前記非対応領域が無地ではないと判定された場合には，前記送信先のファクシミリ装置の対応サイズに合わせて，前記送信対象の画像データを複数に分けて送信することを特徴とするファクシミリ装置。
【請求項４】
請求項１から請求項３のいずれか１つに記載するファクシミリ装置において，
前記制御部は，
送信対象の画像データのサイズが，前記送信先のファクシミリ装置の対応サイズのうち特定のサイズの場合，前記特定領域に，前記送信対象の画像データのうち，前記送信先のファクシミリ装置にて使用される印刷用紙に収まらない可能性がある領域である用紙外領域を含むことを特徴とするファクシミリ装置。
【請求項５】
請求項４に記載するファクシミリ装置において，
前記制御部は，
前記送信処理では，前記用紙外領域があることを条件として，前記用紙外領域が無地であると判定された場合には，前記送信対象の画像データのうち前記用紙外領域以外の領域の画像データを送信し，前記用紙外領域が無地ではないと判定された場合には，前記送信対象の画像データを変更せずに送信することを特徴とするファクシミリ装置。
【請求項６】
請求項４または請求項５に記載するファクシミリ装置において，
前記制御部は，
前記送信先のファクシミリ装置の宛先に応じて前記用紙外領域を，前記特定領域に含むか否かを決定することを特徴とするファクシミリ装置。
【請求項７】
請求項１から請求項６のいずれか１つに記載するファクシミリ装置において，
前記制御部は，
送信対象の画像データの１ページに対して，前記特定領域の基準位置として，上端，下端，右端，左端の少なくとも１つを選択することを特徴とするファクシミリ装置。
【発明の詳細な説明】
【技術分野】
【０００１】
本発明は，ファクシミリ（ＦＡＸ）装置に関する。
【背景技術】
【０００２】
従来から，ＦＡＸ装置に関する技術として，ＦＡＸ送信対象の画像の１ページごとに，白紙か否かを判断し，白紙と判断されたページの画像を送信先のＦＡＸ装置に送信しない白紙除去機能が知られている。
【０００３】
例えば，特許文献１には，ＦＡＸ送信の際，読取原稿に対し，１ページごとに黒画素数をカウントし，カウント値と閾値とを比較して白紙か否かを判断し，さらに白紙と判断されたページの画像は送信せず，白紙でないと判断されたページの画像のみを相手先に送信するＦＡＸ装置が開示されている。なお，以下では，白い紙による白紙に限らず，画像情報を含まない色無地の場合も含んで，「無地」とする。
【先行技術文献】
【特許文献】
【０００４】
【特許文献１】特開平５−３００３１３号公報
【発明の概要】
【発明が解決しようとする課題】
【０００５】
しかしながら，前記した従来の技術には，次のような問題があった。すなわち，送信する画像データを原稿のページ単位で無地か否か判断しているものの，送信先が使用する用紙や送信先の能力によって１ページ分の原稿の画像が複数ページで出力される場合については，考慮されていない。上述の場合には，送信元で無地のページを除去したにも関わらず，送信先で無地ページが出力されてしまう可能性がある。
【０００６】
本発明は，前記した従来の技術が有する問題点を解決するためになされたものである。すなわちその課題とするところは，送信先のＦＡＸ装置での無地ページの出力機会の低減が期待できるＦＡＸ装置を提供することにある。
【課題を解決するための手段】
【０００７】
この課題の解決を目的としてなされたＦＡＸ装置は，ＦＡＸ通信を行う通信部と，制御部とを備え，前記制御部は，送信先のＦＡＸ装置の対応サイズを取得する取得処理と，前記送信先のＦＡＸ装置の対応サイズに応じて決定される特定領域に対して，無地か否かを判定する無地判定処理と，前記無地判定処理にて前記特定領域が無地であると判定された場合には，送信対象の画像データのうち前記特定領域以外の領域の画像データを送信する送信処理とを実行することを特徴としている。
【０００８】
本明細書に開示されるＦＡＸ装置は，送信先のＦＡＸ装置の対応サイズを取得し，送信対象の画像データのサイズと取得した対応サイズとから特定領域を決定する。さらに，決定した特定領域が無地か否かを判定し，無地であると判定された場合には，特定領域以外の領域の画像データを送信する。本明細書では，画像データを拡大や縮小等の処理を行うことなく用紙に出力した際に，用紙上でその画像データによる画像が占める領域の大きさを，単に，「画像データのサイズ」とする。そして，送信対象の画像データのサイズとは，例えば，読み取った原稿の用紙のサイズ，送信用の画像データの印刷設定に基づく用紙のサイズが該当する。なお，送信対象の画像データは，自装置の読取部で読み取ったデータであってもよいし，ＰＣ等から受信したデータであってもよい。また，送信先のＦ
ＡＸ装置の対応サイズは，送信先のＦＡＸ装置から直接取得してもよいし，自装置やサーバに相手先ごとの能力を記憶するデータベースを有し，そのデータベースから取得していてもよい。また，画像データのサイズと対応サイズとに応じて決定される特定領域としては，画像データのうち送信先のＦＡＸ装置にて１枚の用紙に収まらない可能性がある領域が該当する。例えば，画像データのサイズが送信先のＦＡＸ装置の対応サイズより大きいために画像データが対応サイズに収まらない領域や，送信先のＦＡＸ装置にて使用されている用紙のサイズによっては収まらない可能性がある領域が該当する。また，特定領域以外の画像データを送信する方法としては，例えば，特定領域の画像データを除去した画像データを生成して送信する，特定領域の画像データを除去した画像データを生成する代わりに特定領域の画像データを単に送信しないことによって特定領域以外の領域を１ページとして送信する，が該当する。
【０００９】
すなわち，本明細書に開示されるＦＡＸ装置では，送信先のＦＡＸ装置の対応サイズを考慮して，送信対象の画像データのうち送信先のＦＡＸ装置で用紙に収まらない可能性がある特定領域に対して無地判定を行い，無地と判定された場合にはその特定領域以外の画像データを送信する。これにより，特定領域に対応する部分の無地ページの出力がなくなり，送信先のＦＡＸ装置にて無地ページが出力される機会が低減される。
【００１０】
また，前記制御部は，前記取得処理では，前記通信部を介して，送信先のＦＡＸ装置から当該装置の対応サイズを取得するとよい。送信先のＦＡＸ装置から取得することで，送信先のＦＡＸ装置の実際の能力に合った対応サイズの取得が期待できる。
【００１１】
また，前記制御部は，前記特定領域に，送信対象の画像データのうち，前記送信先のＦＡＸ装置の対応サイズに収まらない領域である非対応領域を含み，前記送信処理では，前記非対応領域があることを条件として，前記非対応領域が無地であると判定された場合には，前記送信対象の画像データのうち前記非対応領域以外の領域の画像データを送信し，前記非対応領域が無地ではないと判定された場合には，前記送信先のＦＡＸ装置の対応サイズに合わせて，前記送信対象の画像データを複数に分けて送信するとよい。非対応領域が無地であれば，送信先のＦＡＸ装置の対応サイズに合わせて，送信対象の画像データのうち非対応領域以外の領域の画像データを送信する。これにより，非対応領域の画像データは送信されず，特定領域の無地ページでの出力を回避できる。
【００１２】
また，前記制御部は，送信対象の画像データのサイズが，前記送信先のＦＡＸ装置の対応サイズのうち特定のサイズの場合，前記特定領域に，前記送信対象の画像データのうち，前記送信先のＦＡＸ装置にて使用される印刷用紙に収まらない可能性がある領域である用紙外領域を含むとよい。ＦＡＸ装置の対応サイズには，例えば，「Ａ４またはレター」のように複数種類の用紙サイズを許容する特定のサイズがある。送信先のＦＡＸ装置の対応サイズがこの特定のサイズであり，送信対象の画像データが許容されるサイズのうちの１つであった場合，画像データのサイズと送信先のＦＡＸ装置にて使用される用紙のサイズとが一致しない場合がある。この場合，特定のサイズのうち，送信対象の画像データのサイズとは別のサイズの用紙が使用される可能性も考慮して，用紙に収まらない可能性がある用紙外領域について無地判定することで，より無地ページの出力機会を低減できる。
【００１３】
また，前記制御部は，前記送信処理では，前記用紙外領域があることを条件として，前記用紙外領域が無地であると判定された場合には，前記送信対象の画像データのうち前記用紙外領域以外の領域の画像データを送信し，前記用紙外領域が無地ではないと判定された場合には，前記送信対象の画像データを変更せずに送信するとよい。用紙外領域が無地であれば，送信対象の画像データから用紙外領域を除去しても情報が欠落する可能性は低い。そこで，用紙外領域以外の領域の画像データを送信することで，特定のサイズのうちの送信対象の画像データのサイズとは別のサイズの用紙が使用されたとしても送信された画像データが１枚に収まり，無地ページの出力を回避できる。
【００１４】
また，前記制御部は，前記送信先のＦＡＸ装置の宛先に応じて前記用紙外領域を，前記特定領域に含むか否かを決定するとよい。送信先のＦＡＸ装置の使用されている地域によって，特定の別サイズの用紙が使用される可能性の高低が異なる。そのため，宛先に応じて用紙外領域を考慮するか否かを決定することで，より的確に無地ページの出力機会を低減できる。
【００１５】
また，前記制御部は，送信対象の画像データの１ページに対して，前記特定領域の基準位置として，上端，下端，右端，左端の少なくとも１つを選択するとよい。少なくとも１つの画像データの端を基準に特定領域を抽出する方が，画像データの端を基準とせずに抽出する場合と比較して，特定領域を抽出し易い。
【発明の効果】
【００１６】
本発明によれば，送信先のＦＡＸ装置での無地ページの出力機会の低減が期待できるＦＡＸ装置が実現される。
【図面の簡単な説明】
【００１７】
【図１】実施の形態にかかるＦＡＸ装置の電気的構成を示すブロック図である。
【図２】ＦＡＸ送信手順の概略を示す説明図である。
【図３】非対応領域の例を示す説明図である。
【図４】非対応領域の例を示す説明図である。
【図５】非対応領域の例を示す説明図である。
【図６】非対応領域の例を示す説明図である。
【図７】用紙外領域の例を示す説明図である。
【図８】用紙外領域の例を示す説明図である。
【図９】ＦＡＸ送信処理の手順を示すフローチャートである。
【発明を実施するための形態】
【００１８】
以下，本発明にかかるＦＡＸ装置を具体化した実施の形態について，添付図面を参照しつつ詳細に説明する。本形態は，ＦＡＸ通信を利用した画像データの送受信機能を備えたＦＡＸ装置に本発明を適用したものである。
【００１９】
本形態のＦＡＸ装置１００は，図１に示すように，ＣＰＵ３１と，ＲＯＭ３２と，ＲＡＭ３３と，ＮＶＲＡＭ（不揮発性ＲＡＭ）３４と，ＡＳＩＣ３５とを含むコントローラ３０を備えている。また，ＦＡＸ装置１００は，画像形成部１０と，画像読取部２０と，ネットワークインターフェース３７と，電話回線インターフェース３９と，操作パネル４０とを備え，これらがコントローラ３０に電気的に接続されている。
【００２０】
ＲＯＭ３２には，ＦＡＸ装置１００を制御するための各種制御プログラムや各種設定，初期値等が記憶されている。ＲＡＭ３３は，各種制御プログラムが読み出される作業領域として，あるいは，データを一時的に記憶する記憶領域として利用される。ＮＶＲＡＭ３４は，画像データ等のデータや各種設定等を記憶する領域として利用される。ＣＰＵ３１は，ＲＯＭ３２から読み出した制御プログラムに従って，その処理結果をＲＡＭ３３またはＮＶＲＡＭ３４に記憶させながら，ＦＡＸ装置１００の各構成要素を制御する。
【００２１】
ＣＰＵ３１は，制御部の一例である。なお，コントローラ３０が制御部であってもよいし，ＡＳＩＣ３５が制御部であってもよい。なお，図１中のコントローラ３０は，ＣＰＵ３１等，ＦＡＸ装置１００の制御に利用されるハードウェアを纏めた総称であって，実際にＦＡＸ装置１００に存在する単一のハードウェアを表すとは限らない。
【００２２】
画像形成部１０は，用紙に画像を印刷するための構成である。画像形成部１０の画像形成方式は，電子写真方式であっても，インクジェット方式であってもよい。また，カラー画像の形成が可能であっても，モノクロ画像専用であってもよい。画像読取部２０は，原稿の画像を読み取るための構成である。読取方式は，ＣＣＤ方式であってもＣＩＳ方式であってもよい。また，カラー読み取りが可能であっても，モノクロ読み取りのみであってもよい。また，操作パネル４０は，液晶ディスプレイおよびスタートキー，ストップキー，テンキー等から構成されるボタン群を備え，各種の表示を行うとともに，ユーザによる指示入力を受け付ける。
【００２３】
ネットワークインターフェース３７は，ＬＡＮケーブル等を介してネットワークと通信を行うためのハードウェアである。電話回線インターフェース３９は，電話回線を介して電話網と通信を行うためのハードウェアである。電話回線インターフェース３９は，通信部の一例である。なお，ネットワークを介してＦＡＸ通信を行う場合には，ネットワークインターフェース３７が，通信部の一例である。図１では，ＦＡＸ装置１００とＦＡＸ通信を行う相手装置の例として，電話網に接続されたＦＡＸ装置４００を示している。
【００２４】
続いて，ＦＡＸ装置１００にて実行されるＦＡＸ通信の手順について，図２を参照して説明する。図２は，発呼側のＦＡＸ装置１００から着呼側のＦＡＸ装置４００に向けて，ＦＡＸ通信によって画像データを送信する場合に実行される手順の概略を示している。なお，ＦＡＸ通信の手順は国際規格で決められており，ここでは概略のみを説明する。
【００２５】
ＦＡＸ装置１００は，例えば，画像読取部２０に原稿がセットされた状態で，ＦＡＸによる画像の送信指示を受け付けると，画像読取部２０にて原稿を読み取って画像データを生成する。ＦＡＸ装置１００は，画像読取部２０にて原稿を読み取ることにより，原稿の用紙サイズを取得できる。そこで，原稿の用紙サイズを送信対象の画像データのサイズとする。または，読取設定から送信対象の画像データのサイズを決定してもよい。
【００２６】
なお，送信対象の画像データは，画像読取部２０にて読み取って取得したデータに限らず，ＲＡＭ３３に記憶されているものを読み出してもよいし，ＰＣ等から受信して取得してもよい。また，原稿の読み取りや画像データの生成は，後述する画像データの送信手順より前に実行すればよく，回線の接続等の手順が終了してから開始してもよい。
【００２７】
そして，ＦＡＸ装置１００は，電話回線インターフェース３９にて電話網へ接続する。そして，図２に示すように，送信指示の宛先の情報に基づいて，送信先のＦＡＸ装置４００を呼び出す。この呼び出しに対して送信先のＦＡＸ装置４００が応答することで，電話回線が接続される。
【００２８】
電話回線が接続されたら，ＦＡＸ装置１００は，ＦＡＸ通信を通知する信号を送信し，ＦＡＸ装置４００からＦＡＸ通信を了承する信号を受信する。つまり，ＦＡＸ装置１００は，ＦＡＸ通信による画像データの送信を開始することを示す信号をＦＡＸ装置４００に送信し，これを受けたＦＡＸ装置４００は，ＦＡＸ通信による画像データの受信が可能であることを示す信号を返す。これにより，ＦＡＸ装置１００とＦＡＸ装置４００との双方が，ＦＡＸ通信を開始することを確認する。なお，実際には，ＦＡＸ通信通知の信号およびＦＡＸ通信了承の信号は，１つの信号ではなく，この間に複数回の信号の送受信が行われる。
【００２９】
次に，ＦＡＸ装置１００とＦＡＸ装置４００との間で，通信速度や解像度等の通信設定を決定するための情報の送受信を行う。まず，ＦＡＸ装置４００から，受信側能力通知（ＤＩＳ）が送信される。ＤＩＳには，例えば，ＦＡＸ装置４００にて対応可能な最大の受信能力の情報が含まれている。ＦＡＸ装置１００は，送信対象の画像データのサイズ等の条件や自装置の通信能力と，受信したＤＩＳの内容とに基づいて，自装置にて送信可能であって，かつ，ＦＡＸ装置４００にて受信可能な送信条件を決定する。さらに，決定した送信条件を送信側送信条件（ＤＣＳ）として，ＦＡＸ装置４００に通知する。
【００３０】
ＤＩＳは，国際規格にて決定されている所定のビット数のデジタル情報であり，各ビットには，通信可能な通信速度，処理可能な画像解像度，受信可能な画像データのサイズ等の情報がそれぞれ割り当てられている。ＦＡＸ装置４００は，例えば，受信可能な最大の画像データのサイズの情報をＤＩＳにて通知する。つまり，ＦＡＸ装置４００は，ＤＩＳにて通知した最大のサイズより大きいサイズの画像データを，正常に受信することができない可能性がある。そのため，ＦＡＸ装置１００は，送信対象の画像データのサイズがＦＡＸ装置４００にて適切に受信できない可能性があるサイズである場合には，画像データのサイズを調整する。なお，画像データのサイズの調整については後述する。
【００３１】
ＤＩＳとＤＣＳとの送受信の後，ＤＣＳで通知した条件での通信の成立を確認するために，ＦＡＸ装置１００は，トレーニング信号を送信する。ＦＡＸ装置４００は，トレーニング信号を無事に受信したら，トレーニング成功を通知する。ＦＡＸ装置１００は，通信の成立を確認した後，原稿の画像に基づく画像データを，決定した送信条件にてＦＡＸ装置４００に送信する。画像データのサイズを調整した場合には，調整後の画像データを送信する。さらに，ＦＡＸ装置１００は，１ページ分のデータの送信が終了したら，ページの終了を通知する。次のページがある場合には，次のページの画像データを送信する。
【００３２】
全ての画像データの送信が終了したら，ＦＡＸ装置１００は，電話回線の接続を切断する信号を送信する。そして，ＦＡＸ装置４００の接続切断を確認する情報を受信したら，電話網との接続を切断し，ＦＡＸ通信の手順を終了する。
【００３３】
続いて，ＦＡＸ通信における画像データのサイズの調整について説明する。前述したように，ＤＩＳには，ＦＡＸ装置４００にて受信可能な画像データのサイズの情報が含まれている。ＤＩＳにて取得できるサイズの情報としては，例えば，ＦＡＸ装置４００にて受信可能な画像の幅がある。
【００３４】
ＤＩＳでは，画像の幅として，例えば，「２１５ｍｍ」，「２１５ｍｍまたは２５５ｍｍ」が取得される。画像の幅は，印刷時に主走査方向となる方向の長さであり，エンドオブラインの情報によって区切られる連続した画像データに対応する。なお，印刷時に副走査方向となる画像の長さは，エンドオブページの情報によって区切られる。
【００３５】
ＦＡＸ装置４００は，ＤＩＳにて通知したサイズまでの画像データに対応可能である。そして，ＦＡＸ装置１００は，ＤＩＳにて取得した画像の幅の情報に基づいて，ＦＡＸ装置４００にて受信した画像データを印刷する際に使用される用紙のサイズを推定する。例えば，ＤＩＳにて取得した画像の幅が「２１５ｍｍ」であれば，印刷用紙としてＡ４サイズの用紙が使用されると推定する。つまり，ＦＡＸ装置４００は，１ページあたりＡ４サイズまでの画像データに対応可能であると推定する。以下では，ＦＡＸ装置４００にて対応可能な画像データの最大のサイズを，ＦＡＸ装置４００の対応サイズとする。つまり，ＦＡＸ装置１００は，受信したＤＩＳに基づいて，ＦＡＸ装置４００の対応サイズを取得できる。
【００３６】
本形態のＦＡＸ装置１００は，ＦＡＸ装置４００の対応サイズを取得したら，その対応サイズと，送信対象の画像データのサイズとを比較する。そして，送信対象の画像データのサイズが，ＦＡＸ装置４００の対応サイズに収まるか否かを判断する。なお，送信対象の画像データのサイズは，例えば，原稿を読み取る過程で，あるいは，送信指示の読取設定にて取得される。
【００３７】
送信対象の画像データのサイズが，幅と長さとの両方とも，ＦＡＸ装置４００の対応サイズを超えていない場合には，ＦＡＸ装置４００は，送信対象の画像データを受信可能である。その場合には，ＦＡＸ装置１００は，画像データを加工せずそのままで送信すれば，ＦＡＸ装置４００は適切に受信できる。また，ＦＡＸ装置４００にて受信した画像データを印刷する場合でも，１枚の用紙に印刷できると推定される。
【００３８】
一方，幅と長さとの少なくとも一方にて，送信対象の画像データのサイズが，ＦＡＸ装置４００の対応サイズを超えている場合は，送信対象の画像データをそのまま送信することは好ましくない。その場合には，ＦＡＸ装置１００は，送信対象の画像データを，ＦＡＸ装置の対応サイズに合わせて調整し，調整後の画像データを送信する。
【００３９】
画像データの調整のために，ＦＡＸ装置１００は，送信対象の画像データのうち，ＦＡＸ装置４００の対応サイズに収まらない領域である非対応領域を決定する。例えば，送信対象の画像データのサイズがＢ４であり，ＦＡＸ装置４００の対応サイズがＡ４サイズである場合の，非対応領域の例を，図３〜図６に示す。これらの図において，斜線で示す非対応領域Ｗは，実線で示す画像データＲのうち，破線で示す対応サイズＱの外側にはみ出す部分である。これらの図では，画像データＲと対応サイズＱとの位置関係を変えて，非対応領域Ｗの４通りの例を示している。
【００４０】
次に，ＦＡＸ装置１００は，決定した非対応領域Ｗが無地であるか否かを判定する。無地であるとは，その領域の画像データが，ほぼ一色のみのデータで構成されていることを意味する。例えば，その領域の全体がほぼ白色のみの白紙であれば，無地であると判定する。なお，無地の色は，白でなくてもよい。また，この領域の色は，他の領域の地色と同じであってもよいし，同じでなくてもよい。つまり，色にかかわらず，一色のみであれば無地と判定してよい。この場合，非対応領域Ｗは，特定領域の一例である。
【００４１】
そして，非対応領域Ｗが無地であると判定されたら，送信対象の画像データのうち，非対応領域以外の領域の画像データを送信する。つまり，画像データＲから非対応領域Ｗを除いた，ＦＡＸ装置４００の対応サイズＱの範囲内の画像データを送信する。そのために，ＦＡＸ装置１００は，例えば，画像データＲから非対応領域Ｗを削除して，ＦＡＸ装置４００の対応サイズＱのサイズの画像データを生成する。この場合，ＤＣＳでは，ＦＡＸ装置４００の対応サイズＱを，送信する画像データのサイズとして，ＦＡＸ装置４００に通知する。
【００４２】
このようにすれば，ＦＡＸ装置１００は，送信対象の画像データがＦＡＸ装置４００の対応サイズより大きい場合に，はみ出した無地の部分を除いて送信する。従って，画像情報を欠落させることなく，送信対象の画像データを１ページ分の画像データとして送信できる。なお，対応サイズＱにも画像情報が含まれていない場合は，送信自体を行わないとしてもよい。
【００４３】
一方，ＦＡＸ装置４００は，対応サイズＱの画像データが送信されてくるので，適切に受信することができる。そして，受信した画像データは，元の送信対象の画像データのうち，無地である非対応領域Ｗを除いた領域の画像データである。従って，ＦＡＸ装置４００は，画像情報が含まれている領域の画像データのみを，１ページの画像データとして受信するので，対応サイズＱの範囲外の領域が無地ページで排出される可能性は小さい。
【００４４】
なお，非対応領域Ｗの配置は，１ページの画像データＲに対して，上端，下端，右端，左端の少なくとも１つを基準位置として決定する。特に，上端と下端とのいずれか一方と，右端と左端とのいずれか一方とをともに基準位置とするとよい。なお，非対応領域Ｗの配置が予め決まっている場合には，その領域が無地であるか否かを判定する。また，非対応領域Ｗの配置が予め決まっていない場合は，例えば，前述した４通りの配置の非対応領域Ｗを順に判定し，無地のものがあればその配置を非対応領域Ｗとする。つまり，ＦＡＸ装置１００は，複数の配置のうちから非対応領域Ｗが無地となるように配置を選択して，非対応領域Ｗとして決定してもよい。
【００４５】
一方，非対応領域Ｗが無地ではないと判定された場合には，送信対象の画像データＲを複数のページに分けて送信する。つまり，画像データＲを分けることによって，各ページの画像データのサイズを，ＦＡＸ装置４００の対応サイズ以内のサイズとなるように調整する。例えば，どの配置としても非対応領域Ｗが無地ではない場合には，幅方向のはみ出し部分と，長さ方向のはみ出し部分とをそれぞれ別の画像データとして送信する。または，Ｂ４の画像を２枚のＢ５の画像に分けて送信する。
【００４６】
ＦＡＸ装置４００では，画像データを，分けられた複数のページとして受信する。分けられた画像データの各ページのサイズは，ＦＡＸ装置４００の対応サイズ以内であるので，ＦＡＸ装置４００は，適切に受信できる。そして，各ページは無地ではなく，画像情報が含まれているので，ＦＡＸ装置４００にて無地ページが排出される可能性は小さい。
【００４７】
このようにすることで，画像情報の欠落の防止が期待できる。なお，幅方向または長さ方向のいずれか一方のはみ出し部分のみが無地ではない場合には，無地ではないはみ出し部分のみを送信して，無地の部分は送信しないとしてもよい。また，画像データＲを複数に分ける代わりに，対応サイズＱ以内のサイズとなるように画像データＲを縮小して送信してもよい。
【００４８】
続いて，画像データが特定のサイズである場合の処理について説明する。特定のサイズとは，送信先のＦＡＸ装置の対応サイズのうち，実際に印刷に使用される用紙のサイズが正確には特定できないサイズのことである。
【００４９】
ＤＩＳにて通知することのできる用紙サイズの情報の種類は限定されているので，それ以外のサイズの用紙を使用する場合，ＤＩＳではサイズの近い，別の用紙サイズを通知することがある。例えば，主に米国で使用される用紙サイズであるレターサイズ，または，リーガルサイズを使用するＦＡＸ装置４００からは，「Ａ４またはレター」，「Ａ４またはリーガル」等の情報がＤＩＳにて通知される。あるいは，単に「Ａ４」と通知される場合もある。
【００５０】
これらの通知を受けたＦＡＸ装置１００は，送信先のＦＡＸ装置４００がＡ４サイズの画像データを受信可能であることはわかるが，実際に印刷に使用される用紙のサイズまでは特定できない。そこで，例えば，送信対象の画像データのサイズがＡ４サイズである場合，送信先のＦＡＸ装置４００にてレターサイズの用紙が使用されている可能性も考慮した処理を実行する。つまり，ＦＡＸ装置１００は，送信対象の画像データのサイズが，送信先のＦＡＸ装置の対応サイズのうち特定のサイズである場合，別のサイズの用紙が使用される可能性も考慮して，送信する画像データを調整する。Ａ４サイズは，特定のサイズの一例である。
【００５１】
具体的に，レターサイズは，Ａ４サイズに比較して短辺長がやや大きく，長辺長がやや小さい。そのため，例えば，図７または図８に示すように，Ａ４サイズの画像データＲをレターサイズの用紙Ｌに印刷すると，長辺側の端部に用紙Ｌに収まらない領域である用紙外領域Ｚが生じる。リーガルサイズの大きさは，短辺と長辺とのいずれもＡ４サイズより大きいので，Ａ４サイズの画像データをリーガルサイズの用紙に印刷する場合には，用紙外領域Ｚは生じない。
【００５２】
レターサイズの用紙を使用するＦＡＸ装置４００は，ＤＩＳの用紙サイズにて，例えば，「Ａ４またはレター」を通知する。そして，Ａ４サイズの画像データを受信した場合，例えば，印刷用紙に収まらない部分を別の用紙に印刷する，または，レターサイズに入るように縮小して印刷する等の処理を行う。ただし，ＦＡＸ装置１００としては，どの処理が行われるかは不明である。そのため，ＦＡＸ装置４００の処理が，収まらない部分を別の用紙に印刷するものであると，収まらない部分に画像情報が含まれていない場合に，無地ページが排出される可能性がある。
【００５３】
そこで，本形態のＦＡＸ装置１００は，ＦＡＸ送信の宛先が米国内の番号であり，送信対象の画像データがＡ４サイズである場合には，前述した用紙外領域Ｚが無地であるか否かを判定する。例えば，図７に示すように，画像データのうち下端部分に用紙外領域Ｚを設定し，その領域Ｚが無地であるか否かを判定する。あるいは，図８に示すように，上端部分を用紙外領域Ｚとしてもよい。この場合，用紙外領域Ｚは，特定領域の一例である。
【００５４】
そして，用紙外領域Ｚが無地であると判定した場合には，用紙外領域Ｚを除去した画像データを送信する。この場合，ＤＣＳにて通知する送信対象の画像データのサイズは「Ａ４」とし，画像データの副走査方向の長さを変更して送信する。例えば，下端部分の用紙外領域Ｚが無地であれば，用紙外領域Ｚの前までを画像データとして送信した後，ページ終了信号を送信する。また，上端部分の用紙外領域Ｚが無地であれば，用紙外領域Ｚより後のラインから画像データを送信する。このようにすれば，ＦＡＸ装置４００にセットされている用紙がＡ４サイズであってもレターサイズであっても，送信した画像データは１枚の用紙に印刷される。つまり，どのような処理が行われても，無地ページは排出されない。
【００５５】
一方，用紙外領域Ｚが無地でなければ，画像データＲを変更せずに送信する。つまり，Ａ４サイズのままで画像データＲを送信する。このようにすれば，ＦＡＸ装置４００において適切に処理され，画像情報を全て含む画像が印刷される。例えば，ＦＡＸ装置４００にセットされている用紙がＡ４サイズであれば，画像データはそのまま印刷される。ＦＡＸ装置４００にセットされている用紙がレターサイズであれば，縮小されるか，または，２枚に分けて印刷される。２枚に分かれたとしても，その部分にも画像情報が含まれているので，無地ページは排出されない。
【００５６】
続いて，ＦＡＸ装置１００にて，ＦＡＸ通信で画像データを送信するＦＡＸ送信処理の手順について，図９のフローチャートを参照しつつ説明する。このＦＡＸ送信処理は，原稿が画像読取部２０にセットされ，ＦＡＸ通信による送信指示を受け付けたことを契機にＣＰＵ３１によって実行される。
【００５７】
ＦＡＸ送信処理では，まず，原稿の読取を開始する（Ｓ１０１）。また，前述したように送信先のＦＡＸ装置４００とＦＡＸ通信の準備のための情報の送受信を行う。そして，ＤＩＳを受信することにより，ＦＡＸ装置４００の対応サイズを取得する（Ｓ１０２）。なお，フローチャートには明示していないが，Ｓ１０２の前には，前述したように，電話回線に接続し，ＦＡＸ通信の開始のための手順を実行する。
【００５８】
そして，原稿の読み取りが終了したか否かを判断する（Ｓ１０３）。終了していなければ（Ｓ１０３：ＮＯ），さらに読取を継続する。そして，終了したと判断したら（Ｓ１０３：ＹＥＳ），読み取った原稿の画像データのサイズである原稿サイズを取得する（Ｓ１０４）。なお，読み取った原稿が画像情報を含まない無地原稿であった場合には，データを送信せずにＦＡＸ送信処理を終了する。
【００５９】
次に，Ｓ１０２にて取得した対応サイズと，Ｓ１０４にて取得した原稿サイズとを比較する。そして，対応サイズが原稿サイズより大きいか否かを判断する（Ｓ１０６）。対応サイズの方が原稿サイズより大きいと判断した場合には（Ｓ１０６：ＹＥＳ），送信対象の画像データのサイズとして，ＤＣＳにて原稿サイズを通知する（Ｓ１０７）。さらに，読み取った原稿の画像データを送信して（Ｓ１０８），ＦＡＸ送信処理を終了する。なお，次ページの原稿がある場合には，さらに読取と送信とを実行する。
【００６０】
一方，対応サイズが原稿サイズより大きくないと判断した場合には（Ｓ１０６：ＮＯ），対応サイズと原稿サイズとが同じか否かを判断する（Ｓ１１０）。そして，同じと判断した場合には（Ｓ１１０：ＹＥＳ），送信先が米国であって，その同じサイズが「Ａ４」であるか否かを判断する（Ｓ１１１）。前述したように，送信先が米国の場合には，Ａ４サイズで通知されても，レターサイズの用紙に印刷される可能性がある。なお，送信先が米国であるか否かは，例えば，宛先の電話番号に含まれる国番号に基づいて判断できる。
【００６１】
本形態のＦＡＸ装置１００は，ＦＡＸの送信先が米国であり，かつ，原稿サイズがＡ４サイズの場合に限って，前述の用紙外領域の可能性を考慮する。それ以外の場合では，原稿サイズと対応サイズが等しい場合には，受信も印刷も可能であると判断する。そこで，宛先が米国ではないか，または，原稿サイズがＡ４サイズではないかの，少なくとも一方を満たすと判断したら（Ｓ１１１：ＮＯ），原稿サイズを通知して（Ｓ１０７），画像データを送信し（Ｓ１０８），ＦＡＸ送信処理を終了する。
【００６２】
一方，宛先が米国であり，かつ，対応サイズと原稿サイズとがともにＡ４サイズであると判断したら（Ｓ１１１：ＹＥＳ），用紙外領域が無地か否かを判断する（Ｓ１１３）。用紙外領域は，Ａ４サイズの長辺の方がレターサイズより長いために，レターサイズの用紙に収まらない部分であり，長辺側の上端または下端のいずれの端部としてもよい。いずれの端部とするかは，予め決めて設定してもよいし，両方の無地判定により決めてもよい。例えば，一方の端部の用紙外領域が無地であるか否かを判定し，無地でないと判定した場合に限り，他方の端部をさらに判定してもよい。
【００６３】
そして，用紙外領域が無地ではないと判断したら（Ｓ１１３：ＮＯ），読み取った原稿の画像データをそのまま送信する。つまり，原稿サイズを通知して（Ｓ１０７），画像データを送信し（Ｓ１０８），ＦＡＸ送信処理を終了する。この場合には，Ｓ１０７にて通知する原稿サイズは，Ａ４サイズである。
【００６４】
用紙外領域が無地であると判断した場合には（Ｓ１１３：ＹＥＳ），まず，Ａ４サイズを通知する（Ｓ１１４）。なお，Ｓ１１４では，Ａ４サイズではなく，Ａ４サイズとレターサイズとの重なり部分に相当するサイズを通知してもよい。このサイズでの通知を受信したＦＡＸ装置４００は，使用している用紙がＡ４サイズかレターサイズかにかかわらず，１枚の用紙に印刷できる画像データが送信されることを通知から判断できる。そして，ＦＡＸ装置１００は，原稿の画像データから，無地部分である用紙外領域を除いて，小さいサイズに変更した画像データを送信して（Ｓ１１５），ＦＡＸ送信処理を終了する。
【００６５】
一方，Ｓ１１０にて，対応サイズと原稿サイズとが同じではないと判断した場合には（Ｓ１１０：ＮＯ），原稿サイズの方が対応サイズより大きいことを意味する。この場合には，原稿サイズのままで画像データを送信すると，ＦＡＸ装置４００にて適切に受信できない可能性が高い。そこで，原稿サイズのうち，対応サイズに収まらない領域である非対応領域について，無地であるか否かを判断する（Ｓ１１７）。
【００６６】
非対応領域が無地であると判断した場合は（Ｓ１１７：ＹＥＳ），送信対象の画像データのうち，非対応領域以外の領域の画像データを送信する。つまり，送信する画像データのサイズとして，対応サイズを通知する（Ｓ１１８）。さらに，非対応領域を除いて，対応サイズとした画像データを送信する（Ｓ１１９）。
【００６７】
また，非対応領域が無地ではないと判断した場合は（Ｓ１１７：ＮＯ），送信対象の画像データを，それぞれがＦＡＸ装置４００の対応サイズ以内のサイズとなるように，複数の画像データに分割する（Ｓ１２１）。さらに，分割後の画像データのサイズを，送信する画像データのサイズとして通知する（Ｓ１２２）。そして，分割した画像データを，全ページ送信して（Ｓ１２３），ＦＡＸ送信処理を終了する。
【００６８】
以上，詳細に説明したように，ＦＡＸ装置１００は送信先のＦＡＸ装置４００の対応サイズを取得し，送信対象の画像データのサイズと対応サイズとに応じて決定される特定領域が，無地であるか否かを判定する。そして，特定領域が無地であると判定された場合には，特定領域以外の領域の画像データを送信する。従って，送信先のＦＡＸ装置４００での無地ページの出力機会の低減が期待できる。
【００６９】
なお，本実施の形態は単なる例示にすぎず，本発明を何ら限定するものではない。したがって本発明は当然に，その要旨を逸脱しない範囲内で種々の改良，変形が可能である。例えば，ＦＡＸ装置に限らず，複合機等，ＦＡＸ通信の機能を備えるものであれば適用可能である。
【００７０】
例えば，実施の形態では，非対応領域と用紙外領域との両方に対応する処理を説明したが，いずれか一方のみに対応してもよい。このようにしても，少なくとも一方の領域に基づく無地ページの出力機会を低減できる。
【００７１】
また，上記のＦＡＸ送信処理では，１ページの原稿の読み取りが終了してからそのサイズを取得するとしたが，これに限らない。例えば，読取設定にてサイズの情報が予め取得されていてもよいし，読取開始後の読取中に原稿サイズが取得できるものでもよい。原稿サイズの情報が取得されれば，読取終了を待つことなく，Ｓ１０６に進むとすればよい。
【００７２】
また，上記のＦＡＸ送信装置では，送信先の装置の対応サイズの情報を取得してから，原稿のサイズを取得するとしたが，この順序は逆でもよい。例えば，読取開始後（Ｓ１０１），読取の終了を待ち（Ｓ１０３），原稿のサイズを取得してから（Ｓ１０４），送信先の装置との通信を開始して，対応サイズを取得（Ｓ１０２）してもよい。このようにすれば，送信先との通信を開始してから，データの送信を開始するまでの時間の短縮が期待できる。
【００７３】
また，非対応領域Ｗの配置は，上端，下端，右端，左端の少なくとも１つを基準とするとしたが，これに限らず，例えば，画像データＲの中央部分としてもよい。無地ではないすべての領域が，対応サイズＱの範囲内に配置できる場合には，それ以外の領域を非対応領域Ｗとすればよい。
【００７４】
また，例えば，送信先のＦＡＸ装置４００の対応サイズの取得は，ＤＩＳの受信によるものに限らない。例えば，送信先の装置ごとの対応サイズの情報をＦＡＸ装置１００にて記憶していてもよい。または，送信先の装置ごとの能力を記憶するデータベースをサーバ等に有し，そのデータベースから取得してもよい。また，ＤＩＳには，ＦＡＸ装置４００にて使用される用紙のサイズ情報も含まれていてもよい。その場合は，非対応領域Ｗを，さらに用紙のサイズ情報に基づいて決定してもよい。
【００７５】
また，例えば，特定のサイズの例として，送信対象の画像データのサイズがＡ４サイズの場合について説明したが，送信先のＦＡＸ装置４００にて使用される用紙のサイズが不特定であれば，他のサイズにも適用可能である。つまり，受信は可能でも，印刷時に別のサイズの用紙が使用される可能性があり，印刷用紙に収まらない可能性のある領域があれば，その領域を用紙外領域とすればよい。
【００７６】
また，宛先が米国でなくても，他の国でも，上記の形態のように用紙外領域を考慮してもよい。また，例えば，宛先ごとに，別のサイズの用紙が使用される可能性があるか否かを記憶しておき，宛先ごとに用紙外領域を考慮するか否かを判断してもよい。また，宛先にかかわらず，必ず用紙外領域を考慮するとしてもよい。
【００７７】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【００７８】
２０  画像読取部
３１  ＣＰＵ
３９  電話回線インターフェース
１００，４００  ＦＡＸ装置
【図１】
2015119289.tif 000003
【図２】
2015119289.tif 000004
【図３】
2015119289.tif 000005
【図４】
2015119289.tif 000006
【図５】
2015119289.tif 000007
【図６】
2015119289.tif 000008
【図７】
2015119289.tif 000009
【図８】
2015119289.tif 000010
【図９】
2015119289.tif 000011